(57)【要約】【課題】本発明によれば、メンテナンスが不要で、かつロープ巻上室内への鳥類などの侵入を確実に防止できるロープ巻上室の侵入防止装置を提供すること。【解決手段】ロープ６０とその上方から接触するロープ接触部材１１０と、ロープ接触部材１１０を上下に揺動可能に支持する支持部材１２０と、ロープ接触部材１１０に取り付けられて上方へ延びる上板１４０と、ロープ接触部材１１０に、ロープ接触部材１１０との間に前記ロープ６０が通過する隙間１７０を開けて取り付けられて下方へ延びる下板１５０と、を備え、上板１４０と下板１５０とがロープ引き出し口７０を塞ぐようにする。【選択図】  図２
2006230277.tif 000002
【特許請求の範囲】
【請求項１】
ロープ巻上機を収納し、このロープ巻上機に巻き取られたロープを外部へ延出させるための開口部を備えたロープ巻上室の内部へ前記開口部から鳥類などの小動物が侵入するのを防止するための侵入防止装置であって、
前記ロープとその上方から接触するロープ接触部材と、
前記ロープ接触部材を上下に揺動可能に支持する支持部材と、
前記ロープ接触部材に取り付けられて上方へ延びる上板と、
前記ロープ接触部材に、前記ロープ接触部材との間に前記ロープが通過する隙間を開けて取り付けられて下方へ延びる下板と、を備え、
前記上板と前記下板とが前記開口部を塞ぐようにしたことを特徴とするロープ巻上室の侵入防止装置。
【請求項２】
請求項１に記載の侵入防止装置を備えたロープ巻上室。
【請求項３】
請求項２に記載のロープ巻上室を備えた屋外ロープ設備。
【発明の詳細な説明】
【技術分野】
【０００１】
本発明は、例えば、ダムやロープウェイなどに使用されるロープ巻上機を収納するためのロープ巻上室内への鳥類等の小動物の侵入を防止する侵入防止装置、この侵入防止装置を備えてなるロープ巻上室、及び屋外ロープ設備に関する。
【背景技術】
【０００２】
例えばダムの洪水路ゲートやロープウェイなどのように、ロープを利用して稼働する屋外ロープ設備では、ロープ巻上機を収納するためのロープ巻上室が設けられている。ロープ巻上室には、屋外へロープを延出させるためのロープ引き出し口が設けられている。
【０００３】
ところが、このロープ引き出し口は、常に開放されているため、ここからロープ巻上室内に鳥類等が侵入し、巣を作ったりロープ巻上室内を糞で汚してしまうことがあった。このため、巣の除去や清掃に時間と費用を費やしていた。
【０００４】
鳥類等の侵入を防ぐための一般的な方法としては、例えば、特許文献１に開示されているように、ビニールの垂れ幕や糸などを設置する方法などがある。
【特許文献１】特開２００１−３４６４９９号公報
【発明の開示】
【発明が解決しようとする課題】
【０００５】
しかしながら、この侵入防止方法は、マンションのベランダなどで使用する場合には有効であるが、上記屋外ロープ設備におけるロープ引き出し口にそのまま適用すると、ロープを巻き上げる際に、設置した垂れ幕や糸などを一緒に巻き込んでしまう虞があった。また、垂れ幕や糸を定期的に交換、及び清掃する必要があるため、メンテナンスに手間がかかるという問題があった。
【０００６】
そこで本発明は、メンテナンスが不要で、かつロープ巻上室内への鳥類等の小動物の侵入を確実に防止できるロープ巻上室の侵入防止装置を提供することを目的とする。
【課題を解決するための手段】
【０００７】
上記課題を解決するため、請求項１に記載の発明は、ロープ巻上機を収納し、このロープ巻上機に巻き取られたロープを外部へ延出させるための開口部を備えたロープ巻上室の内部へ前記開口部から鳥類等の小動物が侵入するのを防止するための侵入防止装置であって、前記ロープとその上方から接触するロープ接触部材と、前記ロープ接触部材を上下に揺動可能に支持する支持部材と、前記ロープ接触部材に取り付けられて上方へ延びる上板と、前記ロープ接触部材に、前記ロープ接触部材との間に前記ロープが通過する隙間を開けて取り付けられて下方へ延びる下板と、を備え、前記上板と前記下板とが前記開口部を塞ぐようにしたことを特徴とする。
【０００８】
本発明によれば、ロープの張りの状態に応じて支持部材が動作できるので、ロープの張りの状態に拘わらず、常に開口部を塞ぐことができる。また、上板及び下板は、ロープ接触部材と反対側の端部を固定又は支持されているので、ロープ巻上機に巻き込まれることがない。従って、メンテナンスが不要で、かつロープ巻上室への鳥類等の小動物の侵入を確実に防止できるロープ巻上室の侵入防止装置を提供することができる。
【０００９】
また、請求項２に記載のロープ巻上室は、請求項１に記載の侵入防止装置を備えたことを特徴とする。
【００１０】
また、請求項３に記載の屋外ロープ設備は、請求項２に記載のロープ巻上室を備えたことを特徴とする。
【発明の効果】
【００１１】
本発明によれば、メンテナンスが不要で、かつロープ巻上室内への鳥類等の小動物の侵入を確実に防止できる侵入防止装置を提供することができる。
【発明を実施するための最良の形態】
【００１２】
以下、本発明の実施形態を、図面を参照して詳細に説明する。
【００１３】
本発明に係るロープ巻上室への侵入防止装置は、ロープを屋外へ延出させるためのロープ引き出し口を設けたロープ巻上室内に、鳥類等の小動物が侵入するのを防止するための装置である。従って、このようなロープ巻上室を備えた屋外ロープ設備ならばどのようなものでも適用可能である。例えば、ダムの洪水吐ゲートやロープウェイ、或いは、ロープで操作する遊園地の乗り物などに適用することが想定できる。本実施形態では、ダム洪水吐ゲート１０に適用した場合について説明する。
【００１４】
図１は、ダムの洪水吐ゲート１０を模式的に示す断面図である。同図に示すように、ダムの洪水吐ゲート１０は、ロープ巻上機２０、このロープ巻上機２０を収納するためのロープ巻上室３０、ドラム４０、扉体５０などで構成されている。
【００１５】
洪水吐ゲート１０は、ロープ巻上機２０でロープ６０を巻き上げて、ロープ６０に接続された扉体５０を吊り上げたり、ロープ６０を緩めて扉体５０を下ろすことによってゲートを開閉する設備である。ロープ６０は、ドラム４０を介して扉体５０に連結されている。ロープ巻上室３０には、ロープ巻上室３０内から屋外へロープ６０を延出させるためのロープ引き出し口７０が設けられている。侵入防止装置１００は、このロープ引き出し口７０に設けられる。
【００１６】
以下、図２から図８を参照してロープ巻上室３０の侵入防止装置１００の構造を説明する。
【００１７】
図２はロープ引き出し口７０の拡大断面図である。図２において、画面右側はロープ巻上室３０内側であり、画面の左側は屋外側である。すなわち、ロープ６０は、ロープ巻上室３０内からロープガイドローラ８０を介してロープ引き出し口７０より屋外へ延出する。
【００１８】
侵入防止装置１００は、ロープ巻上機２０からロープ引き出し口７０へ向かうロープ６０に下側から接触するロープ接触部材１１０と、このロープ接触部材１１０の両端に接続されてロープ巻上室の内側へ延びる支持部材１２０と、支持部材１２０を回動自在に支持する支持軸１３０と、前記ロープ接触部材１１０に一端を回動自在に固定され、ロープ接触部材１１０から上方、及び下方にそれぞれ延びてロープ引き出し口７０を塞ぐ上板１４０及び下板１５０と、上板１４０の上部を支持する支持具１６０と、を備えている。
【００１９】
図３は、支持具１６０の一実施形態を示した図である。支持具１６０は、同図に示すように、単に上板１４０を突起物で挟んで支持するものであってもよいし、例えば上板１４０との接触部分にローラなどを設けてもよい。
【００２０】
図４から図７は、ロープ接触部材１１０、及び支持部材１２０の態様を例示する図である。これらの図において、上板１４０、下板１５０などは省略して示している。また、支持部材１２０の端部は回動自在に固定されていればよいので、支持軸１３０を省略することも可能である。
【００２１】
ロープ接触部材１１０、及び支持部材１２０の態様としては、様々な変形、及び工夫が可能である。具体的には、図４、及び図５に示すように支持部材１２０を複数本設けてもよいし、或いは、図６のように、一本のみでもよい。また、図７に示すように、棒状に限らず板状のものも想定できる。また、ロープ接触部材１１０は、ロープ６０との接触面にローラを設けてもよいし、或いは、ロープ接触部材１１０自体をローラとしてもよい。
【００２２】
ロープ接触部材１１０の両端部には、上板１４０、及び下板１５０がヒンジなどで回動自在に取り付けられる。上板１４０は、後でより詳細に説明するが、ロープ６０の張りの状態の変化に応じて円滑に動作できるように、所定の湾曲形状を有している。一方、下板１５０は、ロープ接触部材１１０と下板１５０との間にロープ６０が通過できる程度の隙間１７０を介して配置される。なお、上板１４０、及び下板１５０を構成する材料は特に制限しないが、例えばステンレス材などであれば、長期間メンテナンスの必要がなくなる。
【００２３】
図８は、ロープ引き出し口７０の正面図である。同図において、上板１４０、及び下板１５０とは、ロープ引き出し口７０を塞ぎ鳥類の侵入を防止する。なお、本実施形態では、ロープ巻上室３０内から屋外へ二本のロープ６０を延出させた例を示している。侵入防止装置１００は、このようにロープ引き出し口７０からロープ６０が複数本延出する場合でも適用可能である。
【００２４】
次に、図９及び図１０を参照して侵入防止装置１００の動作を説明する。なお、これらの図において、画面右側がロープ巻上室３０内側を示し、画面左側が屋外側を示している。また、点線はロープ６０が緩んだ状態を示し、実線はロープ６０が張った状態を示している。
【００２５】
図９は、ロープ引き出し口７０付近におけるロープ６０の動作を説明するための断面図である。この図によれば、ロープ引き出し口７０を通過するロープ６０の高さは、ロープ６０の張りの状態により変化する。すなわち、図中に点線で示すように、ロープ６０が緩んだ状態の場合は、ロープ６０はロープ引き出し口７０の下端部付近を通過するが、ロープ６０が張った状態の場合は、緩んだ状態よりも高い位置を通過して屋外へ延出する。
【００２６】
ロープ引き出し口７０は、このようなロープ６０の張りの状態によるロープ６０の上下動を許容できるよう、大きな開口部となっている。従って、このままではロープ巻上室３０内に鳥類等の小動物が容易に侵入できてしまう。
【００２７】
図１０は、侵入防止装置１００の動作状態を示す断面図である。同図に示すように、侵入防止装置１００は、ロープ６０の張りの状態に応じて動作してロープ引き出し口７０を塞ぎ、ロープ巻上室３０内への鳥類等の侵入を防止する。
【００２８】
上述のように、支持部材１２０の支持軸１３０側の端部は、回動自在に固定されている。このため、ロープ接触部材１１０が、支持軸１３０を中心とした円周上を移動することができる。この際、ロープ接触部材１１０に取り付けられた上板１４０、及び下板１５０は、ロープ接触部材１１０と連動して動作する。
【００２９】
また、上板１４０、及び下板１５０は、その一端部を、ロープ接触部材１１０を中心に回動自在に固定されているので、ロープ接触部材１１０とともに上下動しつつ、適宜ロープ接触部材１１０の周囲を移動することができる。このとき、上板１４０は所定の曲率を有しているため、これらの動作が円滑に行われる。
【００３０】
以上の構成によれば、ロープ接触部材１１０、上板１４０、及び下板１５０は、ロープ６０が上下動しても、この上下動に応じてロープ引き出し口７０を塞いだ状態を保つことができる。従って、ロープ６０の状態に拘わらず鳥類等の小動物の侵入を防ぐことができる。さらに、上板１４０、及び下板１５０は、ロープ６０と直接接触することがないので、ロープ巻上機２０に巻き込まれる虞がない。
【図面の簡単な説明】
【００３１】
【図１】ダムの全体構成を示す断面図である。
【図２】ロープ巻上室侵入防止装置の断面図である。
【図３】支持具の一実施形態を示す図である。
【図４】支持部材の一実施形態１を示す図である。
【図５】支持部材の一実施形態２を示す図である。
【図６】支持部材の一実施形態３を示す図である。
【図７】支持部材の一実施形態４を示す図である。
【図８】ロープ引き出し口の正面図である。
【図９】ロープの動作状態を示す断面図である。
【図１０】侵入防止装置の動作状態を示す断面図である。
【符号の説明】
【００３２】
１０    洪水吐ゲート          ２０    ロープ巻上機
３０    ロープ巻上室          ４０    ドラム
５０    扉体                  ６０    ロープ
７０    ロープ引き出し口      ８０    ロープガイドローラ
１００  侵入防止装置          １１０  ロープ接触部材
１２０  支持部材              １３０  支持軸
１４０  上板                  １５０  下板
１６０  支持具                １７０  隙間
【図１】
2006230277.tif 000003
【図２】
2006230277.tif 000004
【図３】
2006230277.tif 000005
【図４】
2006230277.tif 000006
【図５】
2006230277.tif 000007
【図６】
2006230277.tif 000008
【図７】
2006230277.tif 000009
【図８】
2006230277.tif 000010
【図９】
2006230277.tif 000011
【図１０】
2006230277.tif 000012